(57)【要約】      （修正有）【課題】移動手摺の着脱が容易で、移動手摺を曲げる必要がなく、労力が低減でき、作業時間の短縮ができるマンコンベアの移動手摺用ガイド装置を得る。【解決手段】左右に分割された一対の手摺ガイド片１３ａと、各手摺ガイド片の長手方向端部に長手と直交する方向に設けられ、各手摺ガイド片をスライド可能にするための長穴と、各手摺ガイド片の下面に配置されかつ隣接する手摺ガイドの長手方向端部間に設けられた座板１５と、座板に設けられ、隣接する手摺ガイドの各手摺ガイド片の各長穴の位置に一致させたネジ穴と、マンコンベア固定部に取り付けられ、各手摺ガイド片を長穴と座板のネジ穴を利用して幅方向に伸縮自在に吊り下げ固定する吊ボルト１２と、吊ボルトに取り付けられ、座板との間で各手摺ガイド片を所定の位置に固定する締付ナット１２ａとを備える。【選択図】図３
2007161452.tif 000002
【特許請求の範囲】
【請求項１】
踏段と同期して循環移動する移動手摺をその内面に摺接して案内するマンコンベアの移動手摺ガイド装置において、
移動手摺の長手方向に沿って配置され、左右に分割された一対の手摺ガイド片と、
前記左右の手摺ガイド片の長手方向端部に長手と直交する方向にそれぞれ設けられ、前記左右の手摺ガイド片を幅方向にスライド可能にするための長穴と、
前記左右の手摺ガイド片の下面に配置されかつ前後に隣接する手摺ガイドの長手方向端部間に跨って設けられた座板と、
前記座板に設けられ、前後に隣接する手摺ガイドの左右の手摺ガイド片の各長穴の位置に一致させたネジ穴と、
前記左右の手摺ガイド片と前記座板をそれぞれの長穴とネジ穴を利用して所定の位置に締め付け固定するボルトと、
を備えたことを特徴とするマンコンベアの移動手摺用ガイド装置。
【請求項２】
マンコンベア固定部に取り付けられ、左右の手摺ガイド片を長穴と座板のネジ穴を利用して幅方向に伸縮自在となるように吊り下げ固定する吊ボルトと、
前記吊ボルトに取り付けられ、前記座板との間で前記左右の手摺ガイド片を所定の位置に締め付け固定する締付ナットと、
を備えたことを特徴とする請求項１記載のマンコンベアの移動手摺用ガイド装置。
【請求項３】
左右の手摺ガイド片は、全体が断面略Ｚ字状を呈し、外側に配置される下部水平片には移動手摺案内部が形成され、内側に配置される上部水平片には長穴が設けられ、上部水平片は互いに重合されて組立てられ、かつ一方の手摺ガイド片の移動手摺案内部の摺動面上から上部水平片の上面までの高さ寸法は、他方の手摺ガイド片の移動手摺案内部の摺動面上から上部水平片の上面までの高さ寸法より、手摺ガイド片の素材の板厚寸法だけ低くなるようにしたことを特徴とする請求項１又は請求項２記載のマンコンベアの移動手摺用ガイド装置。
【請求項４】
左右の手摺ガイド片は、鋼板を曲げて製作され、下部水平片の先端を下面内側に折り返してＵ字形状の移動手摺案内部を形成したことを特徴とする請求項３記載のマンコンベアの移動手摺用ガイド装置。
【発明の詳細な説明】
【技術分野】
【０００１】
この発明は、エスカレータ等のマンコンベアの移動手摺用ガイド装置に関するものである。
【背景技術】
【０００２】
従来のマンコンベアの移動手摺用ガイド装置について、図１、図２、図９により説明する。図１において、１は隣接する上下階床間に架け渡されたエスカレータ等のマンコンベアの主枠、２は主枠１の両側に立設された欄干、３は主枠１内の上部階床部分に設けられた駆動機、４は主枠１内の上部階床部分に設けられ、駆動機３と駆動チェーン５により連結される駆動スプロケット、６は駆動スプロケット４と同軸に取り付けられる上部踏段スプロケット、７は主枠１内の下部階床部分に設けられた下部踏段スプロケット、８は上部踏段スプロケット６と下部踏段スプロケット７に巻き掛けられて駆動機３により駆動される無端状の踏段チェーン、９は踏段チェーン８に一定間隔で取り付けられる踏段軸（図示せず）に固定される踏段、１０は移動手摺駆動装置１１により踏段９と同じ速度で同期して循環移動する無端状の移動手摺である。なお、図１において、踏段９はマンコンベアにおける一部のみを示している。
【０００３】
図２は移動手摺１０の帰路側近傍の断面を示し、主枠１の縦部材１ａに溶接等で固着された取付腕１ｂから吊ボルト１２にて手摺ガイド１３が吊り下げられた構造の一例を示す。この手摺ガイド１３に移動手摺１０の内面が摺動可能に嵌め込まれており、手摺ガイド１３に案内されて移動手摺１０が移動する。
【０００４】
図９は例えば鋼管や鋼板素材を曲げて製作された従来技術による手摺ガイド１３Ａの構造を示す断面図、図１０（ａ）〜（ｅ）は従来技術による手摺ガイド１３Ａに移動手摺１０を嵌め込む場合の手順を示す断面図である。図１０（ａ）は移動手摺１０の断面図であり、手摺ガイド１３Ａに移動手摺１０を嵌め込む場合は、移動手摺１０両側部の耳部のうち、一方の耳部（図では右側の耳部）の耳部先端部１０ａをＣ方向に、また耳部外側端部１０ｂをＤ方法に曲げて、図１０（ｂ）〜図１０（ｅ）の手順で移動手摺１０を手摺ガイド１３Ａに嵌め込む。また、移動手摺１０内面や手摺ガイド１３Ａの清掃、移動手摺１０の交換等で移動手摺１０を手摺ガイド１３Ａから取外す時は、上記と逆の手順で行うものである。
【０００５】
また、他の従来技術としては、手摺レールを２分割して形成し、一方の耳を含む手摺レールの部分をボルトナット締結によりガラスパネルに取り付ける乗客コンベア（例えば、特許文献１参照）、また、ガイドレールは凹部中央に溝を有するか又は凹部低壁が他の部分より薄肉とされ、心材は中央から左右に分割されてガイドレールと共に断面Ｖ字状に変形可能となるエスカレータの移動手摺用ガイド（例えば、特許文献２参照）が知られている。
【０００６】
【特許文献１】特開２００４−１２３２６３号公報
【特許文献２】実開昭６０−１４８７７９号公報
【発明の開示】
【発明が解決しようとする課題】
【０００７】
従来のマンコンベアの移動手摺用ガイド装置では、移動手摺１０を手摺ガイド１３Ａに嵌め込む時や、移動手摺内面や手摺ガイドの清掃、移動手摺の交換等で移動手摺を手摺ガイドから取外す時には、移動手摺の耳部先端部１０ａや耳部外側端部１０ｂを大きな力で曲げながら作業することになるため、かなりの労力を必要とし、そのために多大な作業時間が掛かるという問題があった。
また、従来技術の特許文献１に記載された乗客コンベアは、一方の耳を含む手摺レールの部分を斜め状態にして移動手摺に差し込んでから垂直状態に戻してボルトナット締結によりガラスパネルに取り付けるため、作業が面倒であり、帰路側に実施されたものではない。また特許文献２に記載されたエスカレータの移動手摺用ガイドは、移動手摺を手摺ガイドに嵌め込む時の作業が面倒なものである。
【０００８】
この発明は、上述のような課題を解決するためになされたもので、移動手摺を手摺ガイドに嵌め込む時や、移動手摺内面や手摺ガイドの清掃、移動手摺の交換等で移動手摺を手摺ガイドから取外す時に、移動手摺の着脱が容易で、従来の方法に対して、移動手摺を曲げる必要がなく、労力が低減でき、作業時間の短縮を図ることができるマンコンベアの移動手摺用ガイド装置を提供するものである。  
【課題を解決するための手段】
【０００９】
この発明に係るマンコンベアの移動手摺用ガイド装置においては、踏段と同期して循環移動する移動手摺をその内面に摺接して案内するものにおいて、移動手摺の長手方向に沿って配置され、左右に分割された一対の手摺ガイド片と、左右の手摺ガイド片の長手方向端部に長手と直交する方向にそれぞれ設けられ、左右の手摺ガイド片を幅方向にスライド可能にするための長穴と、左右の手摺ガイド片の下面に配置されかつ前後に隣接する手摺ガイドの長手方向端部間に跨って設けられた座板と、座板に設けられ、前後に隣接する手摺ガイドの左右の手摺ガイド片の各長穴の位置に一致させたネジ穴と、マンコンベア固定部に取り付けられ、左右の手摺ガイド片を長穴と座板のネジ穴を利用して幅方向に伸縮自在となるように吊り下げ固定する吊ボルトと、吊ボルトに取り付けられ、座板との間で左右の手摺ガイド片を所定の位置に締め付け固定する締付ナットとを備えたものである。
【発明の効果】
【００１０】
この発明によれば、移動手摺を手摺ガイドに嵌め込む時や、移動手摺内面や手摺ガイドの清掃、移動手摺の交換等で移動手摺を手摺ガイドから取外す時に、移動手摺の着脱が容易で、従来のように、移動手摺の耳部を押し曲げたりする必要がなく、労力が低減でき、作業時間の短縮を図ることができる。
【発明を実施するための最良の形態】
【００１１】
実施の形態１．
図１はマンコンベアの移動手摺用ガイド装置が適用される手摺駆動装置を備えたマンコンベアを示す概略側面図、図２は図１のＡ−Ａ線に沿った断面図、図３はこの発明の実施の形態１におけるマンコンベアの移動手摺用ガイド装置を示す図２Ｂ部の詳細断面図、図４はこの発明の実施の形態１におけるマンコンベアの移動手摺用ガイド装置として用いられる手摺ガイドの繋ぎ目部を示す側面図と平面図、図５はこの発明の実施の形態１におけるマンコンベアの移動手摺用ガイド装置として用いられる左側の手摺ガイド片を示す正面図と平面図、図６はこの発明の実施の形態１におけるマンコンベアの移動手摺用ガイド装置として用いられる右側の手摺ガイド片を示す正面図と平面図、図７はこの発明の実施の形態１におけるマンコンベアの移動手摺用ガイド装置として用いられる座板を示す正面図と平面図、図８はこの発明の実施の形態１におけるマンコンベアの移動手摺用ガイド装置による手摺ガイドに移動手摺を嵌め込む場合の手順を示す断面図である。
【００１２】
図１において、１は隣接する上下階床間に架け渡されたエスカレータ等のマンコンベアの主枠、２は主枠１の両側に立設された欄干、３は主枠１内の上部階床部分に設けられた駆動機、４は主枠１内の上部階床部分に設けられ、駆動機３と駆動チェーン５により連結される駆動スプロケット、６は駆動スプロケット４と同軸に取り付けられる上部踏段スプロケット、７は主枠１内の下部階床部分に設けられた下部踏段スプロケット、８は上部踏段スプロケット６と下部踏段スプロケット７に巻き掛けられて駆動機３により駆動される無端状の踏段チェーン、９は踏段チェーン８に一定間隔で取り付けられる踏段軸（図示せず）に固定される踏段、１０は移動手摺駆動装置１１により踏段９と同じ速度で同期して循環移動する無端状の移動手摺である。なお、図１において、踏段９はマンコンベアにおける一部のみを示している。
【００１３】
図２は移動手摺１０の帰路側近傍の断面を示し、主枠１の縦部材１ａに溶接等で固着された取付腕１ｂから吊ボルト１２にて手摺ガイド１３が吊り下げられた構造の一例を示す。この手摺ガイド１３に移動手摺１０の内面が摺動可能に嵌め込まれており、手摺ガイド１３に案内されて移動手摺１０が移動する。
【００１４】
この発明の特徴であるマンコンベアの移動手摺用ガイド装置として用いられる手摺ガイド１３は、図３〜図８に示すように、移動手摺１０の長手方向に沿って配置される左右に分割された一対の手摺ガイド片１３ａ、１３ｂと、左右の手摺ガイド片１３ａ、１３ｂの下面に配置されかつ前後に隣接する手摺ガイドの長手方向端部間に跨って設けられる座板１５とで構成されている。左右の手摺ガイド片１３ａ、１３ｂは、例えば鋼板を曲げて製作され全体が断面Ｚ字状を呈しており、下部水平片の先端は下面内側に折り返されてＵ字形状の移動手摺案内部１３ｃ、１３ｄが形成されている。また左側の手摺ガイド片１３ａの移動手摺案内部１３ｃの摺動面上から手摺ガイド片１３ａの上部水平片の上面までの高さ寸法ｈ１は、右側の手摺ガイド片１３ｂの移動手摺案内部１３ｄの摺動面上から手摺ガイド片１３ｂの上部水平片の上面までの高さ寸法ｈ２より、手摺ガイド片の素材の板厚寸法ｔだけ低くなるように製作されており、図３に示すように、左側の手摺ガイド片１３ａの上部水平片の上に右側の手摺ガイド片１３ｂの上部水平片を重合して組立てた時に、移動手摺案内部１３ｃ、１３ｄの摺動面が左右同一高さとなるように製作されている。また、左右の手摺ガイド片１３ａ、１３ｂは製作コストを考慮して鋼板の素材の長さより若干短い長さ（２ｍ程度）で製作されることが多い。また、左右の手摺ガイド片１３ａ、１３ｂの上部水平片の手摺ガイド長手方向端部の長手と直交する方向に、左右の手摺ガイド片１３ａ、１３ｂを幅方向（横方向）に伸縮自在となるようにスライド可能とするための長穴１３ｅ（図では各２個）が設けられている。また、座板１５の前半部及び後半部には、前後に隣接する手摺ガイドのガイド片１３ａ、１３ｂの各長穴１３ｅの位置に一致させてネジ穴１５ａ（図では前後に２個ずつ計４個）が設けられている。
マンコンベアの長手方向に接続される手摺ガイド１３の繋ぎ目部は、図４（ａ）、（ｂ）に示すように、４個所のうちの１個所のみが吊ボルト１２により座板１５と左側の手摺ガイド片１３ａ、及び右側の手摺ガイド片１３ｂが、締付ナット１２ａで締め込まれ、他の３個所は座板１５と左側の手摺ガイド片１３ａ、及び右側の手摺ガイド片１３ｂがボルト１６により締め付け固定される。上記吊ボルト１２は、図２に示すように、主枠１の取付腕１ｂに取り付けられ、手摺ガイド１３を吊り下げ固定する。
また、手摺ガイド１３の長手方向の中間部も、任意の個所で左右の手摺ガイド片１３ａ、１３ｂを締め付け固定しており、この部分の構成も、図５〜図７に示す手摺ガイド１３の繋ぎ目部と同様に、手摺ガイド片側に長穴１３ｅが設けられており、ネジ穴１５ａが設けられた座板１５とを、ボルト１６で締め付け固定したり、任意の間隔で吊ボルト１２が設けられるが、詳細な説明は省略する。
【００１５】
次に、マンコンベアの移動手摺用ガイド装置による手摺ガイドに移動手摺を嵌め込む場合の手順について、図８により説明する。
まず、図８（ａ）に示すように、左右の手摺ガイド片１３ａ、１３ｂを、その長穴１３ｅを利用して内側（吊ボルト１２側）にずらして幅方向に縮めておく。この状態で、図８（ａ）〜図８（ｅ）の手順で移動手摺１０を手摺ガイド１３に嵌め込む。この際、従来のように、移動手摺１０の耳部を押し曲げたりする必要はない。図８（ｄ）の状態の後、図８（ｅ）に示すように、左右の手摺ガイド片１３ａ、１３ｂを外側（反吊ボルト１２側）にずらして幅方向に伸ばしてナット１２ａで締め付け固定するとともに、ボルト１６により締め付け固定する。図８（ｅ）の状態にすると、移動手摺１０は手摺ガイド１３から外れないようになる。
また、移動手摺内面や手摺ガイドの清掃、移動手摺の交換等で移動手摺を手摺ガイドから取外す時は、上記と逆の手順で行われる。
【００１６】
この実施の形態１によれば、移動手摺を手摺ガイドに嵌め込む時や、移動手摺内面や手摺ガイドの清掃、移動手摺の交換等で移動手摺を手摺ガイドから取外す時に、移動手摺の着脱が容易で、従来のように、移動手摺の耳部を押し曲げたりする必要がなく、労力が低減でき、作業時間の短縮を図ることができる。
【図面の簡単な説明】
【００１７】
【図１】マンコンベアの移動手摺用ガイド装置が適用される手摺駆動装置を備えたマンコンベアを示す概略側面図である。
【図２】図１のＡ−Ａ線に沿った断面図である。
【図３】この発明の実施の形態１におけるマンコンベアの移動手摺用ガイド装置を示す図２Ｂ部の詳細断面図である。
【図４】この発明の実施の形態１におけるマンコンベアの移動手摺用ガイド装置として用いられる手摺ガイドの繋ぎ目部を示す側面図と平面図である。
【図５】この発明の実施の形態１におけるマンコンベアの移動手摺用ガイド装置として用いられる左側の手摺ガイド片を示す正面図と平面図である。
【図６】この発明の実施の形態１におけるマンコンベアの移動手摺用ガイド装置として用いられる右側の手摺ガイド片を示す正面図と平面図である。
【図７】この発明の実施の形態１におけるマンコンベアの移動手摺用ガイド装置として用いられる座板を示す正面図と平面図である。
【図８】この発明の実施の形態１におけるマンコンベアの移動手摺用ガイド装置による手摺ガイドに移動手摺を嵌め込む場合の手順を示す断面図である。
【図９】従来のマンコンベアの移動手摺用ガイド装置を示す図２Ｂ部の詳細断面図である。
【図１０】従来のマンコンベアの移動手摺用ガイド装置による手摺ガイドに移動手摺を嵌め込む場合の手順を示す断面図である。
【符号の説明】
【００１８】
１  主枠
１ａ  縦部材
１ｂ  取付腕    
２  欄干
３  駆動機
４  駆動スプロケット
５  駆動チェーン
６  上部踏段スプロケット
７  下部踏段スプロケット
８  踏段チェーン    
９  踏段
１０  移動手摺
１１  手摺駆動装置
１２  吊ボルト
１２ａ  ナット
１３  手摺ガイド
１３ａ、１３ｂ  左右の手摺ガイド片
１３ｃ、１３ｄ  移動手摺案内部
１３ｅ  長穴
１３Ａ  従来の手摺ガイド
１５  座板
１５ａ  ネジ穴
１６  ボルト    
【図１】
2007161452.tif 000003
【図２】
2007161452.tif 000004
【図３】
2007161452.tif 000005
【図４】
2007161452.tif 000006
【図５】
2007161452.tif 000007
【図６】
2007161452.tif 000008
【図７】
2007161452.tif 000009
【図８】
2007161452.tif 000010
【図９】
2007161452.tif 000011
【図１０】
2007161452.tif 000012